(57)【要約】      （修正有）【課題】乳幼児を抱きかかえる際の疲労軽減を目的とした補助具に関する。【解決手段】乳幼児等を抱きかかえる時に使う補助ベルトを目的別に複数のパーツで構成させる。一方は主に乳児の重量を支える事を目的とした「腰掛け部分」と、もう一方は主に乳児の体が、抱っこしている大人の身体から離れて落ちるのを防ぐ事を目的とした「背もたれ部分」からなる。乳幼児の重量の負担を軽減することのみを目的とした使用方法なら「腰掛け部分」のみを使い大人の身体にしっかりと固定しておきたければ、これに「背もたれ部分」を組み合わせて使用する。【選択図】図１１
2014210143.tif 000002
【特許請求の範囲】
【請求項１】
乳幼児などを抱きかかえる際に用いる補助ベルトが、使用目的別に使えるよう大きく複数の部品から構成されているのを特徴とすること。
【請求項２】
一方は乳幼児等の対象物を上に乗せても、それを支えるのに十分な形状を保つだけの強度と体積を持つ台の働きをするもので身体に装着、固定可能な構造をもつことを特徴とする。
【請求項３】
もう一方の部品は前記部品と組み合わせて使用するもので、使用者の身体と抱きかかえる対象物を同時に一巻きにして固定できる構造を特徴とするもの。
【請求項４】
これらの部品が使用者の意思により、容易にお互いのパーツを連結させて固定して使うことも分離させて使用する事も可能な構造を持つことを特徴とする。
【発明の詳細な説明】
【技術分野】
【０００１】この発明は乳幼児などを抱きかかえる際に使用する補助具に関する。
【背景技術】
【０００２】従来、大人が乳幼児を抱きかかえるときは手や腕を使ってその「重さ」を支えるのと同時に乳児が自分の体から離れて落ちないように「引き寄せる」動作をする必要があった。
最近では乳幼児を大人の体に適切な締め具合で固定する事ができるベルトが用いられて、大人の両手をずっと「抱きかかえる動作」に使わなくても乳幼児を抱っこしていられるようになった。（図１参照）
【発明の概要】
【発明が解決しようとする課題】
【０００３】育児で乳幼児を長時間抱きかかえる時、通常大人は「手」と「腕」を使い乳幼児の重さを支えながら自分の体から乳幼児が離れないようにこれを引き寄せる動作をする必要があった。【０００４】現在でもこういった負担を軽減するために乳幼児を大人の体へベルトなどで固定して大人が四六時中「手」や「腕」を使わなくても乳幼児を抱っこしていられる「抱っこひも」や「抱っこベルト」がある。（図１参照）
これは乳幼児の体を大人の身体へ密着させて、ベルト等を使い複数ヶ所で固定するものである為装着に手間がかかるものである。
また、特に室内での使用においてはいつでも乳幼児を完全に大人の身体へ密着させて固定をする必要がない場合も多かった。【０００５】本発明はこの乳幼児を抱っこするためのベルトの使用方法を用途別、目的別に簡易的に分離したり組み合わせたりして使うことを可能にした構造に関するものである。
【課題を解決する為の手段】
【０００６】上記の課題を解決するため、まず以下の特徴を持った用具を用いる。
乳幼児などの「重さ」がそこにかかっても変形しにくく、それを支えるのに十分な強度を持つ「腰掛け部分」を設けること。
またこの「腰掛け部分」は乳幼児などの「体の大きさ」を支えるのに足りるだけの大きさや、接触する面積を設けたこと。
この「腰掛け部分」は大人の身体に容易に装着できて固定できるようにしたものであること。（図２参照）
【０００７】「腰掛け部分」とは別に「背もたれ部分」となる別パーツを設けること。「腰掛け部分」と「背もたれ部分」は独立しており、「腰掛け部分」そのものだけでも使用できる。
「背もたれ部分」は抱っこをする時に乳幼児が大人の身体から離れて落ちていかないように「引き寄せる」ことと「抱える」ことを目的としたものである。（図３参照）
二つのパーツを一緒に使用する時に「背もたれ部分」は「腰掛け部分」と連結し、分解したり離れたりしにくい構造的特徴を持つこと。（図４参照）
【発明の効果】
【０００８】上記のような特徴を持つベルトを用いることで、育児生活においてその時の状況に合わせて用途・目的に応じた使い方をすることができる。
これにより使用者の「抱っこ」による疲労を軽減することができる。
従来、乳幼児などを抱きかかえるときは「手」と「腕」を使ってその重さを支えながら乳幼児を抱える必要があった。
大人が抱っこを長時間おこない、その重量を支えてると疲労が蓄積していき辛いものとなってしまう。
特に外出での使用を目的とした「抱っこひも」や「抱っこベルト」（図１参照）がすでに多くあるが、これらは乳幼児の身体を大人の身体に密着させて固定するために装着に手間がかかり、室内でいつでも気軽に使うという訳にはいかなかった。
本発明は目的に応じて複数からなるパーツを組み合わせて使用したり、単体で使用したりと選択が可能であり、「気軽に抱っこをしたい」時と「しっかり抱きかかえたい」時など目的に合わせてパーツを組み合わせて「抱っこをするときの疲労軽減」を図れる。
【発明を実施するための形態】
【０００９】乳幼児を抱きかかえる際、図５のように片手で乳児の重さを支え残ったもう一方の手で、乳幼児が大人の身体から離れて落ちないように抱える必要があった。
先ずこの重さを支えるため、本発明の「腰掛け部分」を大人の腹部へ巻き付けてはずれないように固定する。（図６参照）
「腰掛け部分」の上面にあたる部分へ乳幼児をのせて、手を添え抱っこをする。（図７参照）乳幼児の重さを「腰掛け部分」が支えてくれるため、その分腕にかかる疲労が軽減される。また比較的単純な構造であるため装着も容易である。
【００１０】さらに「背もたれ部分」を前述の「腰掛け部分」と組み合わせて使用することで「座る」ことを支える「重さ」への補助に加え、乳幼児が大人の身体から離れてしまわないように「抱える」動作への補助もできる。
図８のように「腰掛け部分」と「背もたれ部分」をつなげた状態で大人の身体へ装着する。
乳幼児を「腰掛け部分」へ乗せて「背もたれ部分」を乳幼児の背面へあたるようにする。（図９参照）
「背もたれ部分」のベルトを大人の身体と乳幼児の身体を囲うように一巻きにしてベルトの先端付近を乳幼児の背面を支えている部分へ固定する。（図１０参照）
この固定方法は、固定希望箇所へマジックテープ等を設置して脱着を比較的容易に行えるようにする。
こういった構造から「腰掛け部分」と「背もたれ部分」を合わせて使用することにより、抱っこをする際、殆ど手や腕を使わなくても乳幼児を抱きかかえてあげることができる。（図１１参照）
【図面の簡単な説明】
【００１１】
【図１】「抱っこひも」を使用して乳幼児を抱っこしている図。
【図２】本発明の「腰掛け部分」を斜め上から見た図。
【図３】本発明「背もたれ部分」を斜め上から見た図。
【図４】「腰掛け部分」と「背もたれ部分」を連結させたところを表す図。
【図５】乳幼児を手と腕で抱きかかえている人の図。
【図６】「腰掛け部分」を人の身体に装着する図。
【図７】「腰掛け部分」に乳幼児を乗せている図。
【図８】「腰掛け部分」と「背もたれ部分」を大人の身体に装着している図。
【図９】乳幼児を抱きかかえての使用説明図。
【図１０】乳幼児を「背もたれ部分」で固定した図。
【図１１】「補助ベルト」を使って乳幼児を抱きかかえながらも両手を自由に使えることを表す図。
【図１２】「腰掛け部分」の平面図、正面図、側面図右、側面図左、背面図。
【図１３】「背もたれ部分」の正面図、背面図。
【図１】
2014210143.tif 000003
【図２】
2014210143.tif 000004
【図３】
2014210143.tif 000005
【図４】
2014210143.tif 000006
【図５】
2014210143.tif 000007
【図６】
2014210143.tif 000008
【図７】
2014210143.tif 000009
【図８】
2014210143.tif 000010
【図９】
2014210143.tif 000011
【図１０】
2014210143.tif 000012
【図１１】
2014210143.tif 000013
【図１２】
2014210143.tif 000014
【図１３】
2014210143.tif 000015